(57)【要約】  摩擦チューブアンカーは、圧力媒体の作用下で拡張させることができ、かつケーシング（６）に取り付けられたチューブ（１）を有する。ケーシング（６）は、ねじが設けられ、かつリングパッキング（１１）により部分（１３）の内側に関して封鎖されたケーシング状スリーブ（７）の部分（１３）内にねじ結合される。ケーシング状スリーブ（７）は、ねじが設けられた別の部分（１４）を有し、そして、このねじに別の拡張可能なチューブ（１）、又はチューブ（１）を拡張させるために圧力媒体を供給するためのアダプター、又は取付け用ボルト、例えばアイボルトのいずれかと選択的にねじ結合することができる。
2010501046.tif 000002
【特許請求の範囲】
【請求項１】
拡張可能なチューブ（１）が連結されるケーシング（６）と、ケーシング状スリーブ（７）を備え、拡張可能なチューブ（１）に連結されたケーシング（６）がケーシング状スリーブ（７）内に挿入され拡張可能なチューブ（１）と共にケーシング（６）を保持する部分（１３）と反対側の部分（１４）内のケーシング状スリーブ（７）が、別の構成要素を受け入れるように仕立てられることを特徴とする拡張可能なチューブ（１）を有する摩擦チューブアンカー。
【請求項２】
別の構成要素が、摩擦チューブアンカーの拡張可能なチューブ（１）に連結されたケーシング（６）である請求項１に記載されたアンカー。
【請求項３】
拡張可能なチューブ（１）の端部、特にケーシング（６）に連結された２個の拡張可能なチューブ（１）の端部が、開口溶接の方法で作られる請求項１又は２に記載されたアンカー。
【請求項４】
拡張可能なチューブ（１）の端部、特にケーシング（６）に連結された２個の拡張可能なチューブ（１）の端部が、閉鎖溶接の方法で作られる請求項１又は２に記載されたアンカー。
【請求項５】
ケーシング状スリーブ（７）の部分（１３、１４）間に大きな直径を有する領域（１５）がある請求項１〜４のいづれか１つに記載されたアンカー。
【請求項６】
拡張可能なチューブ（１）に連結されたケーシング（６）間にあるケーシング状スリーブ（７）の領域（１５）にねじが作られない請求項５に記載されたアンカー。
【請求項７】
ケーシング（６）に半径方向に整列された開口（１７）があり、かつケーシング（６）に連結された拡張可能なチューブ（１）の端部に開口（１７）と同一面の穴がある請求項１〜６のいづれか１つに記載されたアンカー。
【請求項８】
ケーシング状スリーブ（７）の部分（１３、１４）に雌ねじがある請求項１〜７のいづれか１つに記載されたアンカー。
【請求項９】
ケーシング状スリーブ（７）の部分（１３、１４）に丸ねじがあり、かつケーシング（６）に雄の丸ねじが設けられる請求項１〜８のいづれか１つに記載されたアンカー。
【請求項１０】
ケーシング（６）の雄の丸ねじとスリーブ（７）のねじとが対応したねじである請求項９に記載されたアンカー。
【請求項１１】
部分（１３、１４）におけるねじが、同方向又は反対方向に走るねじ、特に右ねじ及び左ねじである請求項８〜１０のいづれか１つに記載されたアンカー。
【請求項１２】
ケーシング状スリーブ（７）と少なくも１個のケーシング（６）との間にシール（１１）がある請求項１〜１１のいづれか１つに記載されたアンカー。
【請求項１３】
シールが、ケーシング（６）の溝の中に挿入されたリングパッキング（１１）であり、この溝が外側に開かれる請求項１２に記載されたアンカー。
【請求項１４】
拡張可能なチューブ（１）の自由端から離れるように向いているケーシング（６）の端部の領域内にリングパッキング（１１）を収容するための溝がある請求項１３に記載され
たアンカー。
【請求項１５】
圧力媒体を供給するための膨張アダプター（２０）は、これを、拡張可能なチューブ（１）に連結されたケーシング（６）が挿入されるケーシング状スリーブ（７）の部分（１３）と反対側のケーシング状スリーブ（７）の部分（１４）内に挿入することができる請求項１、請求項８〜１４のいづれか１つに記載されたアンカー。
【請求項１６】
膨張アダプター（２０）は、ケーシング状スリーブ（７）の領域（１４）にねじ結合させることができる請求項１５に記載されたアンカー。
【請求項１７】
他の構成要素が取付け用ボルト（２２）である請求項１に記載されたアンカー。
【請求項１８】
拡張可能なチューブ（１）に連結されたケーシング（６）が、ケーシング状スリーブ（７）の部分（１３）の雌ねじにねじ込み得る雄ねじを有する請求項１７に記載されたアンカー。
【請求項１９】
ケーシング（６）が外側に丸ねじを有し、かつケーシング状スリーブ（７）の部分（１３）が雌の丸ねじを有する請求項１８に記載されたアンカー。
【請求項２０】
ケーシング状スリーブ（７）の部分（１４）がねじを有する請求項１７〜１９のいづれか１つに記載されたアンカー。
【請求項２１】
ケーシング状スリーブ（７）の領域（１３）内及び部分（１４）内のねじが、同方向又は反対方向のねじである請求項２０に記載されたアンカー。
【請求項２２】
ケーシング（６）が、ケーシング状スリーブ（７）の部分（１３）の内面に関してシールされる請求項１７〜２１のいづれか１つに記載されたアンカー。
【請求項２３】
ケーシング状スリーブ（７）の部分（１３と１４）の間の領域（１５）が、ねじ無しである請求項１７〜２２のいづれか１つに記載されたアンカー。
【請求項２４】
ケーシング状スリーブ（７）の部分（１３）と（１４）との間の領域（１５）が、より大きい直径で作られる請求項１７〜２３のいづれか１つに記載されたアンカー。
【請求項２５】
ケーシング状スリーブ（７）内に端部があるケーシング（６）が、領域（１５）内に置かれる請求項２３又は２４に記載されたアンカー。
【請求項２６】
拡張可能なチューブ（１）がケーシング（６）に連結される請求項１７〜２５のいづれか１つに記載されたアンカー。
【請求項２７】
拡張可能なチューブ（１）がケーシング（６）に溶接される請求項２６に記載されたアンカー。
【請求項２８】
拡張可能なチューブ（１）が、ケーシング（６）に連結されたその端部にて開口溶接の方法で作られる請求項１７〜２７のいづれか１つに記載されたアンカー。
【請求項２９】
拡張可能なチューブ（１）が、閉鎖溶接の方法でケーシング（６）に連結される請求項１７〜２７のいづれか１つに記載されたアンカー。
【請求項３０】
ケーシング（６）の壁に少なくも１個の半径方向の穴（１７）がある請求項２９に記載
されたアンカー。
【請求項３１】
拡張可能なチューブ（１）に、ケーシング（６）の穴（１７）と同一面の開口がある請求項３０に記載されたアンカー。
【請求項３２】
領域（１３又は１４）内のねじの一方が左ねじであり、他方のねじが右ねじである請求項２０〜３１のいづれか１つに記載されたアンカー。
【請求項３３】
部分（１４）内のねじがメートルねじである請求項２０〜３２のいづれか１つに記載されたアンカー。
【請求項３４】
閉鎖溶接の方法で拡張可能なチューブ（１）を閉鎖する溶接部（４１）が、拡張可能なチューブ（１）をケーシング（６）に連結する請求項１〜３３のいづれか１つに記載されたアンカー。
【請求項３５】
拡張可能なチューブ（１）の閉鎖溶接部（４１）に、拡張可能なチューブ（１）の内部に導く少なくも１個の開口（４５）が設けられる請求項１〜３４のいづれか１つに記載されたアンカー。
【請求項３６】
拡張可能なチューブ（１）の内向き折り曲げ端部が閉鎖される請求項１〜３５のいづれか１つに記載されたアンカー。
【請求項３７】
拡張可能なチューブ（１）の内向き折り曲げ部がプラグにより閉鎖される請求項３６に記載されたアンカー。
【請求項３８】
プラグ（４３）が拡張可能なチューブ（１）に連結される請求項３７に記載されたアンカー。
【請求項３９】
請求項１〜３８のいづれか１つに記載された特徴を有する摩擦チューブアンカーに使用するためのアダプター、特に膨張アダプターであって、ケーシング状スリーブ（７）の部分（１４）内に挿入し得る部分（２９）、ケーシング状スリーブ（７）の内部と連なる軸方向通路（２５）及び膨張アダプター（２０）の外側からその軸方向通路（２５）に導く少なくも１個の半径方向の穴（２７）を特徴とするアダプター。
【請求項４０】
膨張アダプター（２０）が雄ねじ（３１）の設けられた部分を有し、これを、雌ねじの設けられたケーシング状スリーブ（７）の部分（１４）内にねじ結合させることができる請求項３９に記載されたアダプター。
【請求項４１】
ケーシング状スリーブ（７）内に突き出たアダプター（２０）の部分（２９）の直径が、ケーシング状スリーブ（７）の部分（１４）の内側の直径より小さい請求項３９又は４０に記載されたアダプター。
【請求項４２】
ねじ（３１）が設けられた膨張アダプター（２０）の部分とケーシング状スリーブ（７）のアダプター側の端部との間にシール（２１）がある請求項４０又は４１に記載されたアダプター。
【請求項４３】
シール（２１）がリングパッキング、特にＯリングである請求項４２に記載されたアダプター。
【請求項４４】
シール（２１）が、膨張アダプター（２０）の外側のショルダー（３３）とケーシング
状スリーブ（７）の部分（１４）の端部との間に把持される請求項４２又は４３に記載されたアダプター。
【請求項４５】
ケーシング状スリーブ（７）の部分（１４）の端部面が内側の斜面（３５）を有する請求項４４に記載されたアダプター。
【発明の詳細な説明】
【技術分野】
【０００１】
本発明は、請求項１の導入部の特徴を有する摩擦チューブアンカーに関する。
【背景技術】
【０００２】
例えば特許文献１及び２によりなし得る引用に関連した摩擦チューブアンカーが知られている。
【０００３】
摩擦チューブアンカーは、長手方向で内側に折り曲げられたチューブを有し、そして丸穴の中に置かれ、かつ折り曲げられたチューブ内の圧力を高くすることにより広げられ、このためチューブの外面が丸穴の内面に隣接して丸穴内にアンカーを固定するロックアンカーである。
【０００４】
公知の摩擦チューブアンカー（図１を参照）においては、拡張可能なチューブ１の前端部は端部ケーシング２により閉鎖される。チューブ１は、本質的に全長にわたり内側に折り曲げられた（ω字状の）壁を持つ（図２）。チューブ１の後端部、従って丸穴の開口（丸穴の外側端部）に隣接した端部がアンカー板３を貫いて伸び、かつ膨張穴５のある膨張ジャケット４を担持する。膨張ジャケット４に取り付けられたアダプターを経て圧力流体（特に水）がチューブ１の内部に給送され、そしてチューブ１は拡張されチューブ１の長さ方向の折り曲げが延ばされ、このため摩擦チューブアンカーは、摩擦により丸穴内に固定され確実に組み合う。
【０００５】
特許文献３は、負荷に適応するために、これら摩擦チューブアンカーの外側端部片への取付け用ねじボルト、例えばアイボルトを明らかにする。
【特許文献１】米国特許第４，４５９，０６７Ａ号  明細書
【特許文献２】国際公開第２００６／０６６２８８Ａ号  明細書
【特許文献３】国際公開第２００４／０９９５７１Ａ号  明細書
【発明の開示】
【発明が解決しようとする課題】
【０００６】
本発明の目的は、摩擦チューブアンカーの利点を維持しつつ、始めに説明された形式の摩擦チューブアンカーの可能な応用を広げることである。
【課題を解決するための手段】
【０００７】
この目的は、請求項１の特徴を有する摩擦チューブアンカーにより本発明において請求されるように達成される。
【０００８】
本発明の好ましくかつ有利な形態は、従属請求項の対象事項である。
【０００９】
本発明において請求された摩擦チューブアンカーにおいては、選択的にケーシングが間に連結された状態で、摩擦チューブアンカーの拡張可能なチューブの一方の端部に連結されたケーシング状のスリーブがあるため、幾つかの異なった可能な用途がある。
【００１０】
摩擦チューブアンカーの有効長さを大きくさせて、特に脆い岩石又は緩い下層土におけるより良い保持が達成されるように、摩擦チューブアンカーの幾つかの拡張可能なチュー
ブを互いに結合させるために、本発明に請求された摩擦チューブアンカーの設けられたケーシング状スリーブを使用することができる。
【００１１】
摩擦チューブアンカーの拡張可能なチューブの一方の端部上のケーシング状スリーブは、拡張可能なチューブに膨張アダプターを連結するためにも使用することができ、これによりチューブを広げるために圧力源からの圧力流体（水）を摩擦チューブアンカー内に送ることができる。
【００１２】
最後に、本発明により請求された摩擦チューブアンカー内に設けられたケーシング状スリーブは、摩擦チューブアンカーが拡張され、下層土内に固定された後で摩擦チューブアンカーに別の要素を連結するために使用することもできる。これら要素は、ボルト、特にねじ、アイボルト又はねじ結合し得る同様品のような要素とすることができる。この場合、ケーシング状スリーブはハンガージャケットを形成する。
【００１３】
本発明に請求された摩擦チューブアンカーにおいて、ケーシング状スリーブがハンガージャケットとして使用される場合は、ケーシングが摩擦チューブアンカーの拡張可能なチューブに連結され、そして他方の端部からボルト、特にアイボルト又は同等品をケーシング状スリーブ内に一方の側からねじ込むことができる。そこで、本発明に請求された摩擦チューブアンカーの特に簡単な構造が成立し、ケーシング状スリーブの端部（ねじ）を介してその中に取り付けられた（挿入された）膨張アダプターにより丸穴内に固定することができる。摩擦チューブアンカーのチューブを拡張させるに要する圧力媒体は、アダプターを介して供給される。これにより、本発明に請求された摩擦チューブアンカーの運転の信頼性が確保される。
【００１４】
本発明は、基本的にすべての形式の摩擦チューブアンカー、特に特許文献２より知られる設計の摩擦チューブアンカーにおいても使用することができる。
【００１５】
本発明に請求された摩擦チューブアンカーの一実施例においては、ケーシング状スリーブには二つのねじ部分が形成され、このため、膨張アダプターと同様に摩擦チューブアンカーの拡張可能なチューブ及び／又はボルト、アイボルト及び同等品のような別の要素に連結されたケーシングを結合することができる。この連結において、摩擦チューブアンカーの拡張可能なチューブに連結されたケーシングを保持するためのねじが丸ねじであり、そして膨張アダプター又はボルトのようなその他の要素を保持するためのねじがメートルねじであることが好ましい。
【００１６】
本発明の枠内で、一方では摩擦チューブアンカーの拡張可能なチューブのためのケーシング上のねじと、他方ではチューブを拡張させるための膨張アダプターをねじ結合させるねじ又は取付けボルトと組み合わせられるねじは、同じ方向又は異なる方向に走るねじであることが考えられる。
【００１７】
例えば、ケーシング保持用のねじが左ねじ（丸ねじ）であり、膨張アダプター保持用ねじ又は固定用ボルトが右ねじ（メートルねじ）である。
【００１８】
本発明の枠内で、摩擦チューブアンカーの拡張可能なチューブが固定されるケーシングは雄ねじ、例えば丸ねじを持つことができる。
【００１９】
ケーシング状スリーブ、特にその外側のハンガージャケットに対してケーシングを封鎖するために、シール、特にＯリングを置くことができる。
【００２０】
本発明に請求される摩擦チューブアンカーを設置するときは、圧力媒体を供給する膨張
アダプターは、ケーシング状スリーブの外側に向いた使用位置にある端部間に、従って丸穴の開口端部に向かってねじ込まれる。膨張アダプターは、取り付けられたケーシング又は拡張可能なチューブからある距離を持つ。気密に溶接された端部を有する拡張可能なチューブ用の圧力媒体は、専ら外側の穴を介して、例えばケーシングの壁に設けられた穴を介して拡張可能なチューブ内に入る。
【００２１】
本発明の一実施例により拡張可能なチューブの密に溶接された端部の溶接部に、溶接されたチューブの内部に圧力流体が入る通路用の開口が少なくも１個あるならば、ケーシング内の半径方向開口のような拡張可能なチューブの壁の開口は不必要である。
【００２２】
本発明の一実施例においては、拡張可能なチューブは、ケーシング状スリーブ内に挿入され、特に丸ねじによりねじ結合されたケーシングに、例えば溶接により連結される。
【００２３】
摩擦チューブアンカーのチューブを拡張させるために、外側から、特にケーシングの壁の穴を経て液体を入れることを容易にするために、ケーシング又はボルトが挿入されるケーシング状スリーブの複数の領域間の移行部、特にケーシング上のスリーブの２個のねじ部分の間の移行部に、特にねじ無しの大きい断面を有する領域がある。しかし、この大きい直径を有するねじ無し領域は、丸ねじがある場合は有ることを要求されない。その理由は、ねじ領域の丸ねじの許容差のため、拡張可能なチューブを広げる液体は、拡張可能なチューブに取り付けられているケーシングの半径方向の開口まで流れることができ、そしてここで拡張可能なチューブに入ることができるためである。
【００２４】
拡張可能なチューブが開口溶接部を有し、又は閉鎖溶接され、この溶接部に開口が使用される拡張可能なチューブである場合は、ケーシング状スリーブの内側のこのねじ無し領域は無くすことができる。
【００２５】
本発明の一実施例においては、ケーシング状スリーブは「ハンガーケーシング」として作られ、丸ねじを有する部分とメートルねじを有する部分とを持ち、そして摩擦チューブアンカーの拡張可能なチューブは、このチューブに連結されたケーシングを介して丸ねじ内にねじ込むことができる。ボルト、例えばアンカーボルトは、これを、メートルねじ内にねじ結合させることができる。この実施例においては、拡張可能なチューブを拡張させるに要する圧力流体は、スリーブ（ハンガージャケット）のメートルねじ内にねじ込まれた膨張アダプターを介して供給される。この流体は、（拡張可能なチューブの輪郭の開口溶接部のため）この点においてω字形の輪郭の拡張可能なチューブ内に軸方向で流れ込むことができる。閉鎖溶接部に対しては、流体は、通常の摩擦チューブアンカーと同様に、拡張可能なチューブとその上に溶接されたケーシングとを通して穿孔された少なくも１個の半径方向の穴を介して、又は溶接部に設けられた少なくも１個の軸方向の穴を通して拡張可能なチューブの内部に入る。
【００２６】
用語「開口溶接部」（図面の図１８に示される）は、拡張可能なチューブ内に圧力流体（水）を軸方向で入れるように、拡張可能なチューブの内部がその端部において軸方向に開口された拡張可能なチューブの中央部にブリッジが溶接された拡張可能なチューブの溶接部（「プロフィール」）として定義される。
【００２７】
用語「閉鎖溶接部」（図１２、２３及び２４に示される）は、拡張可能なチューブの内側の何もない開口（プロフィール）がその端部において外側で溶接され、従って気密に封鎖された溶接部として定義される。拡張のために供給される流体は、少なくも１個の半径方向の穴を介して、又は拡張可能なチューブの内部への溶接部の少なくも１個の開口を介して拡張可能なチューブに入る。
【００２８】
用語「開口溶接部」と「閉鎖溶接部」との間の一つの差は、プロフィールの溶接された断面である。関連して、「閉鎖溶接部」に対しては、故障を起こす負荷が「開口溶接部」におけるより高くなるように大きくされた溶接された鋼の断面部分がある。「開口溶接部」においては、プロフィールは気密に溶接されず、このため拡張に要する圧力流体はケーシング状スリーブ内に軸方向で出ることができる。これに反し閉鎖溶接部では、プロフィールは気密に溶接され、従ってケーシング状スリーブ内に保持されたその端部において閉鎖され、このため流体の出入が可能な拡張可能なチューブの壁に半径方向に配列された穴が必要であり、又は壁に開口が必要である。
【００２９】
一実施例においては、各が端部のねじ結合により固定されたケーシングを介して摩擦チューブアンカーの１個の拡張可能なチューブを保持するように設計された丸ねじを有する二つの部分を有するケーシング状スリーブが作られる。これに関連して拡張可能なチューブの拡張に要する流体は、この点において、（開口溶接部の）拡張可能なチューブから軸方向に出ることができ、そしてその後方にねじ結合されている拡張可能なチューブ内に軸方向で貫流することができ、或いは流体は、溶接され閉鎖された拡張可能なチューブから穴を通って半径方向に、又は溶接の開口を通って軸方向に出て、ケーシング状スリーブの内部を通り、更にスリーブ内にねじ結合された第２のチューブにために流れ、半径方向の穴又は溶接の開口（軸方向の穴、例えばドリル穴）を通って拡張可能なチューブ内に内向きに流れる。
【００３０】
基本的に、本発明の枠内において、特に以下の組合せがある。
−ねじ結合されたケーシング状スリーブ（ハンガージャケット）を有する個々の摩擦チュ
ーブアンカー、及びアイボルト
−ねじ結合されたケーシング状スリーブと共にねじ結合された２個以上の摩擦チューブア
ンカー、及びアイボルト、並びに
−膨張穴及びアンカー板を有する標準の端部ケーシングと共にねじ結合された２個以上の
摩擦チューブアンカー（図１に示されたものと同様）。
【００３１】
本発明は、膨張アダプターにも関連し、これは本発明において請求されるように設けられた本発明の摩擦チューブアンカーのケーシング状スリーブと関連して特に有利に使用することができる。
【００３２】
本発明において請求されるこの膨張アダプターは、膨張アダプターに向けられた独立請求項に示された特徴を特徴とする。
【００３３】
本発明において請求される膨張アダプターの好ましくかつ有利な実施例が従属請求項の主題である。
【００３４】
本発明のその他の詳細及び特徴は、図面を用いた好ましい実施例の以下の説明より明らかとなるであろう。
【発明を実施するための最良の形態】
【００３５】
本発明において請求される摩擦チューブアンカーは、金属の拡張可能なチューブ１を持ち、これは最初の状態ではω字形（図２参照）に折り曲げられており、そしてその一方の端部（図３及び４においてはチューブは部分的にしか示されず、かつ図３及び４においてはその端部は端部ケーシング２により閉鎖されている）はケーシング６に連結され、そしてこのケーシング６を介して、ここではハンガージャケットとして作られたケーシング状スリーブ７内にねじ結合される。
【００３６】
摩擦チューブアンカーの拡張可能なチューブ１は、特に溶接によりケーシング６に連結
される。この連結においては、「開口溶接部」（図１８参照）又は「閉鎖溶接部」（図１２又は図２３／２４参照）を選ぶことができる。
【００３７】
ケーシング６は、その外側に丸ねじ８及び外向きに開いた周囲の溝９を有し、この溝の中にＯリングパッキング１１が挿入される。周囲の溝９内に挿入されたリングパッキング１１に代わり、例えば平坦なシールのようなケーシング状スリーブ７に関するケーシング６の適宜なその他のシールも同様に本発明の枠内で考えられる。ケーシング６を保持するように設計されたケーシング状スリーブ７の部分１３及びこれに連結されたチューブ１には、ケーシング６の（転造された）雄ねじ８に対応する雌ねじ（丸ねじ）が設けられる。
【００３８】
ケーシング状スリーブ７はねじ１４のある別の部分を有し、部分１３及び１４のねじは、同方向又は反対方向とすることができる。例えば、ケーシング６保持用の部分１３のねじは左ねじでありそして部分１４のねじは右ねじである。部分１４のねじはメートルねじである。
【００３９】
ケーシング状スリーブ７の好ましい実施例においては、部分１３と１４の間の領域１５に、直径の大きいねじ無し領域１５がある。既に示されたように、特に外側のケーシング６が丸ねじを有し、かつケーシング状スリーブ７がその領域１３に丸ねじを有するときは、ケーシング状スリーブ７の部分１３と部分１４との間に大直径のねじ無し部分がある必要はない。これは、特に、ケーシング６に連結された拡張可能なチューブ１の端部が「開口溶接部」を有するときに適用される。しかし、ケーシング６の領域内のチューブ１の端部に閉鎖溶接部が作られた場合でも、選択的に大きい直径を有するねじ無し領域（ケーシング状スリーブ７の領域１５）は必須ではない。説明されたように、圧力流体は、丸ねじの許容差のためにねじ部分を通って、従ってケーシング状スリーブ７のねじ部分１４の内面とケーシング６の外面との間を通って流れることができる。
【００４０】
ボルト、例えばアイボルト（図８参照）は、これを、雌ねじを有するケーシング状スリーブ７の部分１４内にねじ込むことができる。
【００４１】
本発明に請求されるアンカーを設置するとき、従ってチューブ１を拡張させねばならないときは、膨張アダプター２０（図７参照）がケーシング状スリーブ７の部分１４内にねじ結合され、そして摩擦チューブアンカーについて知られるように、圧力流体（例えば水）の供給源に連結される。ケーシング状スリーブ７内に端部を保持された膨張アダプター２０は、ケーシング状スリーブ７の部分１５の領域内にあるケーシング６の端部に次いで置かれる。圧力流体は膨張アダプター２０から軸方向に出て、閉鎖溶接されたチューブ１用のケーシング６の内側端部のまわりを流れ、そしてケーシング６の壁に設けられた穴１７を通り、又は溶接部の開口を通って摩擦チューブアンカーの拡張可能なチューブ１の内部に入り、チューブ１を広げて丸穴の内面に押し付け、摩擦チューブアンカーとしてのその機能を遂行する。「開口溶接部」形式の拡張可能なチューブ１がケーシング６に連結されるときは、圧力流体は、摩擦チューブアンカーで普通のように、拡張可能なチューブ１の内部に直接入り、そしてこれを拡張させる。
【００４２】
膨張アダプター２０がケーシング状スリーブ７の部分１４の固定された後、取付け用ねじをねじ込むことができる（図８）。取付け用ねじはアイボルトとすることができ、これをケーシング状スリーブ７内に一時的にねじ込むことも選択的に可能である。
【００４３】
図７は、丸ねじを有する部分１３の領域において、ケーシング状スリーブ７内にケーシング６をねじ結合させる方法を示す。拡張可能なチューブ１が、ケーシング６の領域内にある端部１において閉鎖されるように、チューブ１は閉鎖溶接の方法で溶接される。ケーシング状スリーブ７のねじ無し領域１５内にあるケーシング６の端部はねじ無しに作られ
る。
【００４４】
膨張アダプター２０は、チューブ１の反対側において、ケーシング状スリーブ７のメートルねじ内にねじ込まれる。このねじは、部分１４内に配置され、かつリングパッキング（Ｏリング）２１によりスリーブ７に関して封鎖される。図７に示された構成においては、拡張可能なチューブ１は、そのケーシング６の領域において閉鎖され（閉鎖溶接され）、膨張アダプター２０を経て供給された流体は、図７に示されるようにケーシング６の半径方向の穴１７を通ってチューブ１の内部及びチューブ１の壁の中に入り、そしてこれを拡張させる。
【００４５】
図８は、膨張アダプター２０を取り去った後で、ケーシング状スリーブ７内に別の要素をどのようにねじ結合するかを示す。図７に示された実施例においては、ケーシング状スリーブ７のねじ部分１４内にねじ込まれたのはアイボルト２２である。
【００４６】
図９ないし１５は、より大きい有効長さを有する摩擦チューブアンカーを形成するために、本発明に請求されたように提供されたケーシング状スリーブ７を使用して２個の拡張可能なチューブ１をどのようにして互いに連結し得るかを示す。この場合は、複数のチューブ１の端部が外側に転造ねじを有する複数のケーシング６に連結され、これらのねじはケーシング状スリーブ７のねじ部分１３にねじ込まれる。この実施例においては、外側に丸ねじを有するケーシング６をチューブ１によりケーシング状スリーブ７内にねじ込み得るように、ケーシング状スリーブ７には、丸ねじとして作られたねじを設けられた部分１３が２個ある。
【００４７】
図１２は、「閉鎖溶接」の方法で作られ、端部でケーシング６に端部が溶接されたチューブ１を示す。一方のチューブ１の内部に供給された圧力流体は、半径方向の２個の穴１７からケーシング状スリーブ７の複数のねじ部分１３の間のねじ無し領域１５を経て次のチューブ１内に流れる。
【００４８】
図１３及び１４は、斜視図（図１３）及び断面図（図１４）においてねじ無し部分及び半径方向の穴１７が明白なケーシング６の一実施例を示す。図９のこの実施例において、使用されるケーシング状スリーブ７は、図１５に、このスリーブのためのその断面が再び示される。図１５は、２個のねじ部分１３間にねじ無し領域１５が設けられた２個の部分１３を示し、これは閉鎖溶接端部を有するチューブ１に対する流体の溢出に対して有利である。
【００４９】
図１６は、図９のものと同様な構成を示し、これでは、チューブ１の端部は開口溶接部（図１８）を有し、ケーシング６に連結されている。この方法で、流体はチューブ１から軸方向で別のチューブ１内に溢流できるため、ケーシング状スリーブ７内のねじ無し領域１５並びにチューブの壁及びケーシング６の半径方向穴１７を無くすことができる。
【００５０】
本発明に請求された摩擦チューブアンカーに設けられたケーシング状スリーブ７と関連して使用し得る膨張アダプター２０が図７に示される。
【００５１】
この膨張アダプター２０は、摩擦チューブアンカーの拡張可能なチューブ１を拡張させることができる流体（圧力媒体）を、軸方向通路２５を有するように連結されたケーシング状スリーブ７を介して提供する。この軸方向通路２５には、通常の圧力源から圧力流体が半径方向の穴２７を介して供給され、この液体は軸方向通路２５内に排出される。
【００５２】
図７に示された膨張アダプター２０は、ケーシング状スリーブ７内に突き出るテーパー部分２９を持つ。この部分２９は、ケーシング状スリーブ７の部分１４のねじに対応する
ねじ３１を持つ。特に、これはメートルねじである。
【００５３】
図７に示されるように、本発明に請求される膨張アダプター２０においては、ねじ３１は、膨張アダプター２０のケーシング状スリーブ７内に突き出るテーパー部分２９の軸方向の長さに全部にわたり作られるのではなく、テーパー部分２９のほぼ中央にある限定された領域にだけ作られる。
【００５４】
膨張アダプター２０のねじ３１とケーシング状スリーブ７のその外側の部分との間にリングパッキング２１（Ｏリング）がある。ケーシング状スリーブ７内に挿入された、特にねじ込まれた膨張アダプター２０のために、リングパッキング２１は、ケーシング状スリーブ７のアダプター側の端部と膨張アダプター２０のショルダー３３との間、従ってテーパーにされた直径の部分とより大きな直径の膨張アダプター２０との間の移行領域において把持される。この目的で、ケーシング状スリーブ７の環状の端部表面の内側に斜面３５が作られる。
【００５５】
図２２は、ケーシング６内に固定された端部であって閉鎖溶接の方法で作られ、かつケーシング６に連結されたた前記端部を有する拡張可能なチューブ１の実施例を示す。拡張可能なチューブ１の端部に設けられ、かつその内部を封鎖する溶接部４１は、拡張可能なチューブ１をケーシング６に連結する。
【００５６】
加えて、図２２に示される実施例においては、ケーシング６の端部領域にある端部は、プラグ状のインサート４３により拡張可能なチューブの折り返しにおいて封鎖される。プラグ状インサート４３は、例えば接合、圧入又は溶接でチューブ１に連結される。
【００５７】
図２２に示された拡張可能なチューブ１の実施例においては、拡張可能なチューブ１を拡張させるための圧力媒体をその内部に供給することができるように、溶接部４１に、拡張可能なチューブ１に至る少なくも１個の開口４５（例えば、軸方向のドリル穴）が作られる。圧力媒体は、開口４５を通って拡張可能なチューブ１の内部に入ることができる。拡張可能なチューブ１の閉鎖溶接部を有し、更に圧力媒体が入るための溶接４１の開口４５を有する実施例においては、ケーシング６の別の実施例に設けられた半径方向の穴１７（図６）及び拡張可能かチューブ１の壁におけるこれと同一面の穴（図７）は不要である。
【００５８】
更に、拡張可能なチューブ１の閉鎖された溶接端部の溶接部４１に開口４５のある実施例においては、半径方向の穴１７内の流路を作るためのケーシング状スリーブ７内のねじ無し領域１５を無くすことができる。
【００５９】
図７と同様な表現の図２３は、開口４５を有し、かつ溶接４１による閉鎖溶接部を有する拡張可能なチューブ１に対して、膨張アダプター２０をいかに使用し得るかを示す。
【００６０】
図２４は、溶接部４１に少なくも１個の開口４５を有する図２３の実施例における閉鎖溶接部を示す。
【００６１】
図２５は閉鎖溶接チューブ１において、ケーシング状スリーブ７内にどのようにして別の要素をねじ込み得るかを示す。
【００６２】
図２６は、少なくも１個の開口４５のある溶接部４１による閉鎖溶接部を隣接した端部に有する２個の拡張可能なチューブ１を、ケーシング状スリーブ７により互いにいかに連結し得るかを示す。
【００６３】
少なくも１個の開口４５を有する溶接の実施例において、図９及び１０に示されたような実施例において必要なねじ無し領域は、拡張可能なチューブ１の連接端部の閉鎖溶接の場合はなくすことができることも図２６において認められる。
【００６４】
２個の端部上のケーシング状スリーブ７は、リングシール１１がその封鎖機能を容易に行い得るように、円筒状のねじ無し部分４７を有する。ケーシング状スリーブ７の中央領域において、反対方向又は同方向のねじである部分１３のねじの間に、ねじ無し部分４９がある。
【００６５】
まとめると、本発明の一実施例は以下のように説明することができる。
【００６６】
摩擦チューブアンカーは、圧力流体の作用により拡張することができ、かつケーシング６に取り付けられるチューブ１を有する。ケーシング６は、ケーシング状スリーブ７のねじ部分１３内にねじ込まれ、そして部分１３の内側に関してリングパッキング１１により封鎖される。ケーシング状スリーブ７は別のねじ部分１４を有し、別の拡張可能なチューブ１又はチューブ１を拡張させるための圧力媒体を供給するための膨張アダプター、或いは取付け用ボルト、例えばアイボルトのいずれかを選択的にねじ結合させることができる。
【図面の簡単な説明】
【００６７】
【図１】図式的に示された拡張可能なチューブを有する摩擦チューブアンカーを示す図である。
【図２】図１の線Ａ−Ａに沿った断面図である。
【図３】ケーシング及びケーシング状スリーブを有する拡張可能なチューブの断面図である。
【図４】図３の摩擦チューブアンカーの斜視図である。
【図５】ハンガージャケットとして使用されるケーシング状スリーブを示す軸方向断面図である。
【図６】ケーシングの軸方向断面図である。
【図７】圧力流体供給用のケーシング状スリーブの一方の端部から挿入された拡張可能なチューブ、及び他方の端部に挿入された膨張アダプターを有するケーシング状スリーブの軸方向断面図である。
【図８】ケーシングを介してケーシング状スリーブの一方の端部からねじ込まれ拡張されたチューブ及び他方の端部にねじ込まれたアイボルトを有するケーシング状スリーブを示す図である。
【図９】両側からねじ込まれたチューブを有するケーシング状スリーブの軸方向断面を示す図である。
【図１０】図９の配列を示す斜視図である。
【図１１】図９の線Ａ−Ａに沿った断面図である。
【図１２】図９（拡張可能なチューブのみ）の線Ｂ−Ｂに沿った断面図である。
【図１３】溶接により拡張可能なチューブの端部に取り付けできるケーシングの斜視図である。
【図１４】図１３のケーシングの軸方向断面図である。
【図１５】図９のケーシング状スリーブのみの軸方向断面図である。
【図１６】ケーシングを介して両側からねじ込まれた拡張可能なチューブを有するケーシング状スリーブの別の実施例を示す図である。
【図１７】図１６の線Ａ−Ａに沿った断面図である。
【図１８】図１６の線Ｂ−Ｂに沿った拡張可能なチューブのみの断面図である。
【図１９】拡張可能なチューブに連結された（溶接された）ケーシングを示す斜視図である。
【図２０】図１９のケーシングの断面図である。
【図２１】図１６のケーシング状スリーブのみの軸方向断面図である。
【図２２】閉鎖溶接を有する一実施例の長手方向断面図を示す図３と同様な図である。
【図２３】拡張可能なチューブを溶接封鎖するための図７に実施例と同様な長手方向断面図である。
【図２４】図２３の線Ｂ−Ｂに沿った断面図である。
【図２５】図８の閉鎖溶接された拡張可能なチューブと同様な実施例の部分的に切り取られた図である。
【図２６】ケーシング状スリーブを介して互いに連結（閉鎖溶接）されている２個の拡張可能なチューブを有する実施例（部分図）を示す図である。
【図１】
2010501046.tif 000003
【図２】
2010501046.tif 000004
【図３】
2010501046.tif 000005
【図４】
2010501046.tif 000006
【図５】
2010501046.tif 000007
【図６】
2010501046.tif 000008
【図７】
2010501046.tif 000009
【図８】
2010501046.tif 000010
【図９】
2010501046.tif 000011
【図１０】
2010501046.tif 000012
【図１１】
2010501046.tif 000013
【図１２】
2010501046.tif 000014
【図１３】
2010501046.tif 000015
【図１４】
2010501046.tif 000016
【図１５】
2010501046.tif 000017
【図１６】
2010501046.tif 000018
【図１７】
2010501046.tif 000019
【図１８】
2010501046.tif 000020
【図１９】
2010501046.tif 000021
【図２０】
2010501046.tif 000022
【図２１】
2010501046.tif 000023
【図２２】
2010501046.tif 000024
【図２３】
2010501046.tif 000025
【図２４】
2010501046.tif 000026
【図２５】
2010501046.tif 000027
【図２６】
2010501046.tif 000028
【図２７】
2010501046.tif 000029
【国際調査報告】
2010501046.tif 000030
2010501046.tif 000031
2010501046.tif 000032
2010501046.tif 000033